(57)【要約】【課題】大便器の鉢部に溜められる洗浄水量を水嵩の高さに換算して簡易に計測できる大便器洗浄水量測定治具を提供する。【解決手段】大便器１０の鉢部１２底側を封止できる外周に軟質部材２ａが設けられた硬質板状の蓋２と、この蓋２を持ち上げることのできる取っ手７と、鉢部１２内に溜まった洗浄水の水嵩の高さＡを計測できる水量測定目盛り５を備えて構成されている。【選択図】図２
2007332614.tif 000002
【特許請求の範囲】
【請求項１】
大便器の鉢部底側を封止できる外周に軟質部材が設けられた硬質板状の蓋と、該蓋を持ち上げることのできる取っ手と、前記鉢部内に溜まった洗浄水の水嵩の高さを計測できる水量測定目盛りを備えたことを特徴とする大便器洗浄水量測定治具。
【請求項２】
前記蓋を水平に置くための水平器を備えている請求項１に記載の大便器洗浄水量測定治具。
【請求項３】
請求項１または請求項２に記載の大便器洗浄水量測定治具を用いて、大便器洗浄水量を所定の洗浄水量に設定する方法であって、
１個選定した大便器の鉢部底側を前記大便器洗浄水量測定治具の蓋で封止し、別の容器に溜めた所定水量の洗浄水を前記大便器の鉢部内に入れ、該洗浄水の鉢部内での水嵩の高さを前記大便器洗浄水量測定治具の水量測定目盛りで計測する第１の工程と、
洗浄水量を測定したい被測定大便器の鉢部底側を前記大便器洗浄水量測定治具の蓋で封止し、該被測定大便器の給水部から洗浄水を鉢部内に入れ、該洗浄水の鉢部内での水嵩の高さを前記大便器洗浄水量測定治具の水量測定目盛りで計測する第２の工程と、
該第２の工程で計測した洗浄水の高さ寸法が前記第１の工程で計測した洗浄水の高さ寸法と違う場合は、前記被測定大便器の給水部を調節して、該被測定大便器の鉢部内に前記第１の工程で計測した高さ寸法の洗浄水量が供給されるように設定することを特徴とする大便器洗浄水量測定治具を用いて大便器洗浄水量を所定の洗浄水量に設定する方法。
【発明の詳細な説明】
【技術分野】
【０００１】
本発明は、大便器の洗浄水量を測定する治具および、この治具を用いて大便器洗浄水量を所定の洗浄水量に設定する方法に関するものである。
【背景技術】
【０００２】
従来、特許文献１に開示されているように、洗浄水の供給用水道管に連なる放流弁と便器との管路上に量水計を設け、量水計の翼車の回転数により流過水量を計量する構成のものが存在する。
【特許文献１】特公平８−６３６２号公報
【発明の開示】
【発明が解決しようとする課題】
【０００３】
上記特許文献１の構成では、翼車が回転する構造の量水計が用いられており、機構が複雑であるという問題点があった。
なお、従来、大便器の鉢内にスポンジ等で蓋をした後、大便器のリムから洗浄水を大便器の鉢内に溜めて、その溜められた洗浄水を灯油ポンプ等でバケツなどに汲み取り、その水量を計測して、大便器の洗浄に必要な適正水量であるか否かを判定していたが、灯油ポンプ等でバケツなどに汲み取りを行なう必要があり、非常に面倒であり、何十台もの大便器の洗浄水量を現場でこのような方法で計測することは極めて面倒なものであった。
【課題を解決するための手段】
【０００４】
本発明は上記従来の問題点に鑑み案出したものであって、大便器洗浄水量を簡易的に計測できる大便器洗浄水量測定治具および、この治具を用いて大便器洗浄水量を所定の洗浄水量に設定する方法を提供せんとするものであり、請求項１の大便器洗浄水量測定治具は、大便器の鉢部底側を封止できる外周に軟質部材が設けられた硬質板状の蓋と、該蓋を持ち上げることのできる取っ手と、前記鉢部内に溜まった洗浄水の水嵩の高さを計測できる水量測定目盛りを備えたことである。
【０００５】
また、請求項２の大便器洗浄水量測定治具は、前記蓋を水平に置くための水平器を備えていることである。
【０００６】
また、請求項３の大便器洗浄水量測定治具を用いて大便器洗浄水量を所定の洗浄水量に設定する方法は、請求項１または請求項２に記載の大便器洗浄水量測定治具を用いて、大便器洗浄水量を所定の洗浄水量に設定する方法であって、１個選定した大便器の鉢部底側を前記大便器洗浄水量測定治具の蓋で封止し、別の容器に溜めた所定水量の洗浄水を前記大便器の鉢部内に入れ、該洗浄水の鉢部内での水嵩の高さを前記大便器洗浄水量測定治具の水量測定目盛りで計測する第１の工程と、洗浄水量を測定したい被測定大便器の鉢部底側を前記大便器洗浄水量測定治具の蓋で封止し、該被測定大便器の給水部から洗浄水を鉢部内に入れ、該洗浄水の鉢部内での水嵩の高さを前記大便器洗浄水量測定治具の水量測定目盛りで計測する第２の工程と、該第２の工程で計測した洗浄水の高さ寸法が前記第１の工程で計測した洗浄水の高さ寸法と違う場合は、前記被測定大便器の給水部を調節して、該被測定大便器の鉢部内に前記第１の工程で計測した高さ寸法の洗浄水量が供給されるように設定することである。
【発明の効果】
【０００７】
本発明の大便器洗浄水量測定治具は、大便器の鉢部底側を封止できる外周に軟質部材が設けられた硬質板状の蓋と、該蓋を持ち上げることのできる取っ手と、前記鉢部内に溜まった洗浄水の水嵩の高さを計測できる水量測定目盛りを備えたことにより、陶器製の大便器の鉢部底側に軟質部材を介して陶器の誤差を吸収して水密状に蓋を設置し、蓋の下方へ洗浄水を逃がさなくすることができる。また、目視により水量測定目盛りを読み取ることができ、洗浄水量を水嵩の高さに換算して簡易的に計測できるものとなる。
【０００８】
また、蓋を水平に置くための水平器を備えていることにより、蓋を水平に置くことができ、これにより水量測定目盛りを垂直にすることができて、正確な洗浄水量を計測することができるものとなる。
【０００９】
また、大便器洗浄水量測定治具を用いて大便器洗浄水量を所定の洗浄水量に設定する方法は、１個選定した大便器の鉢部底側を前記大便器洗浄水量測定治具の蓋で封止し、別の容器に溜めた所定水量の洗浄水を前記大便器の鉢部内に入れ、該洗浄水の鉢部内での水嵩の高さを前記大便器洗浄水量測定治具の水量測定目盛りで計測する第１の工程と、洗浄水量を測定したい被測定大便器の鉢部底側を前記大便器洗浄水量測定治具の蓋で封止し、該被測定大便器の給水部から洗浄水を鉢部内に入れ、該洗浄水の鉢部内での水嵩の高さを前記大便器洗浄水量測定治具の水量測定目盛りで計測する第２の工程と、該第２の工程で計測した洗浄水の高さ寸法が前記第１の工程で計測した洗浄水の高さ寸法と違う場合は、前記被測定大便器の給水部を調節して該被測定大便器の鉢部内に前記第１の工程で計測した高さ寸法の洗浄水量が供給されるように設定することにより、現場の水圧などにより変動する可能性のある洗浄水量を、現場で洗浄水量測定治具を用いて容易に測定し、フラッシュバルブ等を調整して所定の洗浄水量に設定することができ、所定の洗浄水量に設定することで大便器の十分な洗浄能力と節水効果を得ることができる。
【実施例】
【００１０】
以下、本発明の実施例を図面に基づいて説明する。
図１は、大便器洗浄水量測定治具の斜視構成図であり、洗浄水量測定治具１は、硬質樹脂等で板状に形成されて、外周にスポンジ等の軟質部材２ａが巻着された蓋２を備え、この蓋２の上面には、ボルト等で浮き上げ状に断面略コの字状のフレーム４が固定されており、このフレーム４の端部には、蓋２に対し垂直に立ち上げて、目盛りを有する水量測定目盛り５が立設されており、また、フレーム４の中央部には、垂直に立ち上げて立上棒６が立設されており、立上棒６の上端は、手で握ることのできる取っ手７となっている。また、フレーム４上には、蓋２を水平に置くことのできる水平器８が設けられている。
【００１１】
このような構成の洗浄水量測定治具１は、取っ手７を手で握り、蓋２を持ち上げることができ、図２に示すように、洗い落とし式大便器に取り付けて、この洗浄水量測定治具１
により洗い落とし式大便器１０の鉢部１２に溜められる洗浄水の量を簡易に測定することができるものである。
洗い落とし式大便器１０は、鉢部１２の上面外周に洗浄水の通水路を形成するリム部１１が一体形成されており、このリム部１１の底面には、複数のリム孔１１ａ，１１ａ，１１ａが形成され、このリム孔１１ａから下方の鉢部１２内に洗浄水を流下させることができるものである。
【００１２】
鉢部１２の底側はＵ字状に形成されて、連通部１４を介して後方側に傾斜状をなすトラップ部１３に連通されており、トラップ部１３の背面には排水口１５が開口されている。このトラップ部１３内に封水が溜められ、封水の上面は封水面Ｗとなっている。また、大便器１０の下端にはスカート状に脚部１６が一体形成されており、前記リム部１１の後方側の給水口には、例えばフラッシュバルブ１８から洗浄水が供給されるように構成されており、フラッシュバルブ１８から供給された洗浄水が前記リム部１１内を通り、リム孔１１ａから鉢部１２に流下するように構成されている。
なお、フラッシュバルブ１８に代えて、ロータンク内に溜められている洗浄水が供給される構造のものもある。
【００１３】
なお、前記洗浄水量測定治具１の蓋２の外周には、例えばスポンジ等で構成される軟質部材２ａが巻着されており、図２のように、蓋２を大便器１０の鉢部１２の底側、即ち連通部１４の上方の封水面Ｗよりも上方に配置させて、取っ手７で下方へ押し付けると、軟質部材２ａを介して陶器による製造上の寸法誤差を良好に吸収して、蓋２が鉢部１２の底側に水密状に蓋され、この時に、水平器８を上方側から見ながら蓋２を確実に水平となるように鉢部１２の底側に封止状に蓋することができる。
【００１４】
この状態でフラッシュバルブ１８を作動させて、リム孔１１ａから鉢部１２内に洗浄水を流下させると、洗浄水は鉢部１２内に溜められることとなり、この鉢部１２内に溜められた洗浄水の水嵩の高さを水量測定目盛り５で良好に読み取り、溜められた洗浄水の高さ寸法を計測することができるものである。
【００１５】
例えば、大便器１０が６リットルの洗浄水量に設定されている場合、鉢部１２内に６リットルの洗浄水が溜められると、その洗浄水の水嵩の高さは例えば１２５ｍｍとなり、その数値を水量測定目盛り５で読み取ることができ、洗浄水の上面が１２５ｍｍよりも低い位置であった場合には、洗浄に必要な所定の６リットルの洗浄水が鉢部１２に供給されていないこととなり、十分な洗浄能力が確保できないこととなる。
【００１６】
また逆に、水量測定目盛り５で読み取られた高さ寸法が１２５ｍｍよりも高い場合には、余分な洗浄水が供給されていることとなり、無駄に洗浄水が使われることで節水効果が得られないものとなる。
従って、大便器１０の設定された所定洗浄水量が６リットルである場合には、フラッシュバルブ１８等の給水部を適宜調整して、水量測定目盛り５を見ながら、大便器１０の鉢部１２内へ供給される洗浄水量が１２５ｍｍの高さとなるように調整する必要がある。
【００１７】
例えば図３に示すようなフラッシュバルブ１８では、このフラッシュバルブ１８の水量調整スピンドル１８ａを閉めたり開けたりして調整するか、或いはチャッキ弁１８ｂを閉めたり開けたりして調整することで、１２５ｍｍの高さの洗浄水が供給されるように調整できるものである。
なお、ロータンクタイプでは、ロータンク内のフロート弁などで便器側へ供給する洗浄水量を調整することができるものである。
【００１８】
なお、大便器１０の所定洗浄水量は６リットルに設定されたタイプのものの他、８リットルや１０リットルに設定されているものも存在するため、所定洗浄水量が８リットル或いは１０リットルの大便器１０の場合には、その洗浄水量に対応する洗浄水量の水嵩の高さを水量測定目盛り５で計測することとなる。
【００１９】
なお、既設の大便器１０の洗浄水量を確認するためにも、このような洗浄水量測定治具１を使用することができるが、特に新築時に、現場に設置される大便器１０は、現場の各フロア等でそれぞれ水圧の違いにより、大便器１０内に供給される洗浄水量が違ってくるため、現場に設置されるそれぞれの大便器１０を所定の洗浄水量に設定する必要があり、洗浄水量が少ないと洗浄能力が落ち、逆に多いと洗浄水が無駄になることとなる。
各大便器１０を所定の洗浄水量に設定するため、具体的には、先ず１個の大便器を選定し、取っ手７で洗浄水量測定治具１を持ち、洗浄水量測定治具１の蓋２をこの大便器１０の鉢部１２の底側に水密かつ水平状に押し付け、鉢部１２の底側を蓋２で蓋した状態として、設定洗浄水量が６リットルである場合には、別のバケツなどに６リットルの洗浄水を溜めておき、このバケツなどに溜めた６リットルの洗浄水を大便器１０の鉢部１２の上方から鉢部１２内に入れる。
【００２０】
この鉢部１２内に入れられた洗浄水の水嵩の高さを洗浄水量測定治具１の水量測定目盛り５で測定し、この測定した洗浄水量の高さ寸法Ａを記録しておく。
その後、洗浄水量を測定したい大便器１０の鉢部１２の底側に洗浄水量測定治具１の蓋２を被せて蓋し、フラッシュバルブ１８を作動させてリム孔１１ａから鉢部１２内に洗浄水を流下させ、鉢部１２内に洗浄水を溜める。この溜められた洗浄水を水量測定目盛り５で測定して、この洗浄水の高さ寸法をＢとする。
前に計測したＡ寸法とこのＢ寸法とが違う場合、例えば先のＡ寸法の方がＢ寸法よりも大である場合には、所定の６リットルの洗浄水量が供給されていないこととなるため、フラッシュバルブ１８の水量調整スピンドル１８ａ或いはチャッキ弁１８ｂを操作して、鉢部１２に溜められる洗浄水の高さ寸法がＡとなるように調整して、確実に所定水量を流すことのできる大便器１０に設定する。
【００２１】
このように洗浄水量測定治具１を用いて、洗浄水量を水嵩の高さに換算して簡易的に計測することができ、従来の灯油ポンプ等でバケツなどに汲み取り洗浄水量を測定していた作業に比べて、容易な作業で大便器１０の洗浄水量を計測して、現場に設置される大便器が所定の洗浄水量になるように良好に調節して設定することができるものとなる。
【００２２】
なお、大便器１０の品番により、所定の洗浄水量が６リットルであるか８リットルであるか、或いは１０リットルであるかが決まっているため、現場に設置される大便器１０の品番に対応した所定の洗浄水量に、上記した方法で設定することができるものである。
【図面の簡単な説明】
【００２３】
【図１】洗浄水量測定治具の斜視構成図である。
【図２】洗浄水量測定治具を洗い落とし式大便器に設置して計測している状態の縦断面拡大構成図である。
【図３】洗浄水量を調整できるフラッシュバルブの一例を示す要部拡大構成図である。
【符号の説明】
【００２４】
１  洗浄水量測定治具
２  蓋
２ａ  軟質部材
４  フレーム
５  水量測定目盛り
６  立上棒
７  取っ手
８  水平器
１０  大便器
１１  リム部
１１ａ  リム孔
１２  鉢部
１３  トラップ部
１４  連通部
１５  排水口
１８  フラッシュバルブ
１８ａ  水量調整スピンドル
１８ｂ  チャッキ弁
Ｗ  封水面
【図１】
2007332614.tif 000003
【図２】
2007332614.tif 000004
【図３】
2007332614.tif 000005